(57)【特許請求の範囲】
【請求項１】
農業用二重式ハウスであって、
第１のハウスと、
前記第１のハウス内に設けた栽培対象の近傍周囲をシートで取り囲んで局所空間を形成可能な、第２のハウスと、
前記第２のハウスの長手方向の両端に設ける、一対の展開装置と、
前記一対の展開装置間に架け渡し、途上で前記シートを直接又は間接的に固定してある、架設材と、を少なくとも具備し、
前記展開装置は、
前記シートを連結するアームを少なくとも有し、
前記アームの一端は、前記シートを直接又は間接的に固定しており、
前記アームの他端は、前記第２のハウスの長手方向を軸方向として回動可能に構成して、前記アームを起立および倒伏自在とし、
前記アームの倒伏時には、前記シートによって前記局所空間が形成され、
前記アームの起立時には、前記シートの裾部が持ち上がって、前記局所空間に解放部が形成されることを特徴とする、
農業用二重式ハウス。
【請求項２】
前記第２のハウスの長手方向両端に設けた前記展開装置のうち少なくとも何れか一方において、
前記アームを、前記第２のハウスの幅方向に離間させて二基取り付けてあることを特徴とする、
請求項１に記載の農業用二重式ハウス。
【発明の詳細な説明】
【技術分野】
【０００１】
本発明は、農業用の二重式ハウスに関し、より詳細には、外側の第１のハウスの内部に小型の第２のハウスを設けるにあたり、当該第２のハウスの壁面を構成するシートの展開・格納の作業効率を向上させた二重式ハウスに関する。
【背景技術】
【０００２】
農業用の二重式ハウスとして、本願出願人は特許文献１に記載の発明を着想している。
特許文献１には、ビニールハウスの内部空間のうち栽培対象の近傍周囲を取り囲むように区画された空間からなる、温調空間を設け、この温調空間の中に暖冷気を送り込む空調機と、温調空間内の暖冷気の流れを生成する送風機を設けることで、温調空間内の暖冷気を循環させて温調空間を均一に温度調整する構造が開示されている。
【先行技術文献】
【特許文献】
【０００３】
【特許文献１】特許第６７６８１６８号公報
【発明の概要】
【発明が解決しようとする課題】
【０００４】
上記した温調空間は、栽培対象の近傍周囲のみをシートで取り囲んで形成する比較的小断面な構造のため、特許文献１の図２にも示すように、アーチ状の支柱材を、高床ベンチ（栽培ベッド）の長手方向に間隔を空けて取りつけ、この支柱材にクリップなどを用いてシートを取り付けるような、簡易的な構造が一般的であった。
しかし、栽培対象の手入れを要する場合や、夏場に温度調整が過剰となった温調空間の閉塞を解放しようとする場合に、展開済みのシートの格納作業を行うにあたって以下に記載する問題のうち少なくとも何れか１つの問題を有していた。
（１）シートの格納作業を全て人力で行う必要があり、長尺状のシートを巻き取って格納する場合などでは、複数人で作業を行う必要があった。
（２）格納したシートが再度垂れ落ちないように、適宜クリップなどでのシートの留め直し作業が発生するため、作業効率が悪い。
【０００５】
よって、本願発明は、栽培対象の近傍周囲のみを区画する局所空間に用いるシートの展開・格納の作業効率を向上可能な手段の提供を目的の一つとするものである。
【課題を解決するための手段】
【０００６】
上記課題を解決すべくなされた本願の第１発明は、農業用二重式ハウスであって、第１のハウスと、前記第１のハウス内に設けた栽培対象の近傍周囲をシートで取り囲んで局所空間を形成可能な、第２のハウスと、前記第２のハウスの長手方向の両端に設ける、一対の展開装置と、前記一対の展開装置の前記アーム間に架け渡し、途上で前記シートを直接又は間接的に固定してある、架設材と、を少なくとも具備し、前記展開装置は、前記シートを連結するアームを少なくとも有し、前記アームの一端は、前記シートを直接又は間接的に固定しており、前記アームの他端は、前記第２のハウスの長手方向を軸方向として回動可能に構成して、前記アームを起立および倒伏自在とし、前記アームの倒伏時には、前記シートによって前記局所空間が形成され、前記アームの起立時には、前記シートの裾部が持ち上がって、前記局所空間に解放部が形成されることを特徴とする。
また、本願の第２発明は、前記第１発明において、前記第２のハウスの長手方向両端に設けた前記展開装置のうち少なくとも何れか一方において、
前記アームを、前記第２のハウスの幅方向に離間させて二基取り付けてあることを特徴とする。
【発明の効果】
【０００７】
本発明によれば、以下に記載する効果のうち、少なくとも何れか１つの効果を奏する。
（１）アームの端部に、局所空間を形成するシートを直接または間接的に連結することにより、アームの回動動作のみでシートを移動させることができ、局所空間の閉塞・解放を容易に切り換えできる。
（２）局所空間の長手方向両端に設けた展開装置のアーム間に架設した架設材に、シートを直接または間接的に連結することにより、長尺の局所空間の断面形状を保持しつつ、シートの展開動作や格納動作を行う際のシートの位置ズレをさらに抑制できる。
（３）展開装置において、アームを第２のハウスの幅方向に離間させて二基取り付けておくことで、二基のアームの起立時に、第２のハウスの頂部と各アームとで囲まれた空間を、持ち上げたシートを収容しておく空間（収容空間）として使用することができる。この収容空間にシートの裾部を収容しておけば、アームを倒伏させないかぎりシートの裾部が垂れ落ちる事も無いため、意図せず局所空間が再形成されてしまう現象を防止することができる。
【図面の簡単な説明】
【０００８】
【図１】本発明に係る二重式ビニールハウスの全体構成を示す概略側面図。
【図２】本発明に係る展開装置のアームの設置態様を示す概略平面図。
【図３】本発明に係る展開装置の使用イメージを示す概略正面図。
【発明を実施するための形態】
【０００９】
以下、図面を参照しながら、本発明の実施例について説明する。
【実施例１】
【００１０】
＜１＞全体構成（図１）
図１に示すように、本実施例に係る二重式農業ハウスは、第１のハウス１０と、当該第１のハウス１０の内部に別途構築した第２のハウス２０と、当該第２のハウス２０の壁面を構成するシート２１（フィルムも含まれる）の展開を行う、展開装置３０を設けてあることを特徴とする。
以下、各構成要素の詳細について説明する。
【００１１】
＜２＞第１のハウス（図１）
第１のハウス１０は、当該ハウス内で作物の栽培を行うための農業施設である。
第１のハウス１０は、一般的なビニールハウスやプラスチックハウスに限られず、一般的な建築物なども含まれる。
第１のハウス１０は、強風や積雪などで破損することのないよう、所定の強度を持たせた構造物とすることが一般的である。
【００１２】
＜３＞第２のハウス（図１）
第２のハウス２０は、第１のハウス１０内に新たに設置する小型のビニールハウスである。
第２のハウス２０は、栽培対象Ｂの近傍周囲を、ビニールハウスの壁面を構成するシート２１で取り囲むことで、第１のハウス１０内に局所空間Ａを形成するための構造物である。
シート２１は空気を通さない部材であることが好ましく、かつ可撓性を有する部材、例えばビニールシートなどを用いることができる。
また、シート２１に透明の部材を用いると、局所空間Ａの内部を視認できたり、日光の取り込みを許容できたりする点で好適である。
【００１３】
＜３．１＞局所空間
局所空間Ａは、第２のハウス２０の内部空間にあたる空間である。
局所空間Ａは、空間内部にエアコン、ボイラー、ストーブ、保温器その他の暖冷房から暖冷気を別途送り込んだり、二酸化炭素ガスを送り込んだりすることで、栽培対象Ｂの近傍周囲のみを局所的に生育に好ましい環境へと調整する空間として使用される。
本実施例では、高設栽培用の高床ベンチＣの周囲を取り囲むように配置したシート２１と地面とで、縦断面視して閉塞した局所空間Ａが形成されている。
【００１４】
また、局所空間Ａは、本発明において、完全に密閉された空間であることを要するものではなく、シート２１の裾部２２と地面との間に意図せず隙間が生じている態様や、局所空間Ａの長手方向端部が解放してある態様を本発明から除外するものではない。
【００１５】
＜３．２＞第１のハウスとの差異点
第２のハウス２０は、第１のハウス１０と異なり、強風や積雪などによる破損の恐れを懸念する必要が少ないことから、剛性の高い骨組を用いたりする必要がなく、簡素な構造とすることで極力コストをかけない態様とすることが望ましい。
そのため、このような簡素な構造を採用しながら、シート２１の展開・格納の作業効率を向上させることが、本発明の主要な解決課題となる。
【００１６】
＜４＞展開装置（図１，図２）
展開装置３０は、シート２１の展開・格納を行うための装置である。
本発明では、第２のハウス２０を構成するシート２１を展開可能な展開装置３０を設けることで、適宜、局所空間Ａを閉塞・解放可能に構成している。
本実施例では、第１のハウス１０の奥行き方向に複数並べて配置した高床ベンチＣの連続体の両端にそれぞれ展開装置３０を設けており、この展開装置３０を手動で動作させることで、第２のハウス２０を構成するシート２１の展開および格納を切り換え可能としている。
本実施例では、展開装置３０を、地面に設置する架台３１と、前記架台３１に回動自在に取り付けたアーム３２と、を少なくとも含んで構成している。以下、各部材の詳細について説明する。
【００１７】
＜４．１＞架台（図１）
架台３１は、アーム３２を取り付けるための構造物である。
本発明において、架台３１の形状・構造等は特段限定しない。
本実施例では、仮設足場に用いる鋼管や縦枠等の部材を枠状に組み立てて架台３１としている。
架台３１の高さは、高床栽培や露地栽培が適用される栽培対象Ｂの高さによって適宜決めれば良い。
【００１８】
＜４．２＞アーム（図１）
アーム３２は、当該アーム３２の回動動作によってシート２１を移動させることにより、局所空間Ａの閉塞と解放とを切り換え可能とするための部材である。
アーム３２は長尺部材で構成することができる。
アーム３２の一端は、架台３１に対し、直接的または間接的に回動可能に連結する回動軸３３を設ける。この回動軸３３の軸方向は、第２のハウス２０の長手方向に設定している。
また、アーム３２の他端は、シート２１を直接的または間接的に固定した状態とする。
【００１９】
＜４．２．１＞アームの構成例（図１）
本実施例では、アーム３２および回動軸３３として、略三角形状のブラケットを用い、当該ブラケットの水平材をアーム３２、鉛直材を回動軸３３に見立てて、架台３１の上部に架け渡した単菅と回動軸３３と回動自在に連結している。
なお、後述するアーム３２の倒伏状態の際に、栽培対象Ｂがシート２１と干渉しない程度に局所空間Ａが確保されるよう、アーム３２を取り付ける架台３１の高さや、架台３１に対する回動軸３３の連結高さは適宜調整しておく必要がある。
【００２０】
＜４．２．２＞複数のアームの設置（図２）
本実施例では、さらに、架台３１の幅方向に間隔を空けて、アーム３２を二基配置している。間隔を空けて二基のアーム３２を設けた理由および作用効果は、後述する＜６．２＞および＜６．３＞で説明する。
【００２１】
＜５＞架設材
本実施例ではさらに、アーム３２の他端に、対向する他方の展開装置３０のアーム３２の他端との間を連結する、架設材４０を張設している。
架設材４０には、棒材や紐材などを用いることができる。
本実施例では、架設材４０にワイヤを用い、このワイヤに緊張力を付加した状態で張設している。また、ワイヤの途上では、シート２１を適宜クリップ等で挟んで固定している。
当該構成とすることで、長尺の局所空間Ａの断面形状を保持しつつ、シート２１の展開動作や格納動作を行う際のシート２１の位置ズレを抑制している。
【００２２】
＜６＞使用イメージ（図３）
次に、図３を参照しながら、本発明に係る農業用二重式ハウスの使用イメージについて説明する。
【００２３】
＜６．１＞倒伏状態（局所空間の閉塞時）（図３（ａ））
アーム３２を倒伏させた状態では、シート２１の裾部２２が地面に接触した状態をしておくことで、縦断面形状が略矩形を呈する局所空間Ａが形成される。
この状態で、局所空間Ａに暖冷気や二酸化炭素などを送り込むことで、局所空間Ａのみを、栽培対象Ｂの生育に適した環境に調整することができる。
このように、栽培対象Ｂの近傍周囲の環境のみを調整することで、第１のハウス１０全体を調整する場合と比較して、空調コスト等を低減させることができる。
【００２４】
＜６．２＞起立状態（局所空間の解放時）（図３（ｂ））
育成者による栽培対象Ｂの手入れを要する場合や、局所空間Ａの暖冷房が過剰になった場合などには、倒伏してあるアーム３２を起立させる。
アーム３２を起立させた状態では、シート２１の裾部２２がアーム３２に引き上げられて地面から離隔するため、局所空間Ａの内外を連通する解放部Ｄが形成される。
この時点で、局所空間Ａの閉塞は解かれることになり、局所空間Ａを通気させて所望の環境へと調整することができる。
【００２５】
＜６．３＞シートの収納（図３（ｂ））
両アーム３２を起立させた状態では、両アーム３２で挟まれた空間がシート２１の頂部の上方に形成されることになる。
この空間を、局所空間Ａの側面等を構成するシート２１の裾部２２を収容しておく収容空間Ｅとすることにより、一旦収容したシート２１の裾部２２が垂れ落ちて局所空間Ａが意図せず再形成してしまう恐れを防止することができる。
【実施例２】
【００２６】
前記した実施例１では、第１のハウス１０の中に、局所空間Ａを構成する第２のハウス２０を設けた二重式の農業用ハウスを構成していたところ、本発明では、屋外に第２のハウス１０のみを設け、この第２のハウス２０に用いるシート２１の展開を行う展開装置３０を設けた構成とすることもできる（図示せず）。
【００２７】
本実施例における、第２のハウス２０で区画される局所空間Ａは、実施例１に示す第１のハウス１０で使用されるような大型のビニールハウスを含むものでは無く、作業員の人力によって、シートの取扱いが可能な程度の大きさであり、５ｍ以内、より好ましくは３ｍ以内程度の横幅を有するサイズを意図している。
【００２８】
すなわち、本実施例に係る発明は、高床栽培または露地栽培を行う栽培対象の近傍周囲をシートで取り囲んで、長手形状を呈する局所空間を形成するための農業用ハウスのシートの展開構造であり、前記局所空間の長手方向の両端に設ける一対の展開装置と、前記一対の展開装置間に架け渡し、途上で前記シートを直接又は間接的に固定してある架設材と、を少なくとも具備してなり、前記展開装置は、前記シートを連結するアームを少なくとも有し、前記アームの一端は、前記シートを直接又は間接的に固定しており、前記アームの他端は、前記局所空間の長手方向を軸方向として回動可能に構成して、前記アームを起立および倒伏自在に構成したことを特徴とする。
上記構成により、前記アームの倒伏時には、前記シートによって前記局所空間が形成され、前記アームの起立時には、前記シートの裾部が持ち上がって、前記局所空間に解放部が形成されることで、局所空間内の閉塞・解放を人力で容易に行うことができる。
また、本実施例においても、アームを二基設けて前記アームの起立時に収容空間を形成するよう構成してもよい。
【符号の説明】
【００２９】
１０  第１のハウス
２０  第２のハウス
２１  シート
２２  裾部
３０  展開装置
３１  架台
３２  アーム
３３  回動軸
４０  架設材
Ａ    局所空間
Ｂ    栽培対象
Ｃ    高床ベンチ
Ｄ    開放部
Ｅ    収容空間
【要約】
【課題】栽培対象の近傍周囲のみを区画するハウスに用いるシートの展開・格納の作業効率を向上させること。
【解決手段】第１のハウス１０と、第１のハウス１０内に設けた栽培対象Ｂの近傍周囲をシート２１で取り囲んで局所空間Ａを形成可能な、第２のハウス２０と、第２のハウス２０の長手方向の両端に設ける、一対の展開装置３０と、一対の展開装置３０間に架け渡し、途上でシート２１を直接又は間接的に固定してある架設材４０と、を少なくとも具備する。展開装置３０は第２のハウス２０の長手方向を軸方向として回動可能に構成したアーム３２を有し、アーム３２の倒伏時には、シート２１によって局所空間Ａが形成され、アーム３２の起立時には、シート２１の裾部が持ち上がって、局所空間Ａに解放部が形成される。
【選択図】図１【図１】
0006861883.tif 000002
【図２】
0006861883.tif 000003
【図３】
0006861883.tif 000004